(57)【要約】【課題】改訂後の賃走料金の試算にかかる業務負担及び費用負担を抑制することができる。【解決手段】タクシーメータ３で現行の料金制による賃走料金が計算されると、その計算の際に生成された演算パルスの生成数が、営業走行毎に、生成された時間帯別に分類してカウントされる。そして、営業走行毎の時間帯別に分類された演算パルスのカウント値が、タクシー車両の入庫時にメモリカード５に記憶される。管理用コンピュータ７において賃走料金の試算用のプログラムを起動し、メモリカード５から営業走行毎の時間帯別に分類された演算パルスのカウント値を読み出すと、キーボードあるいはマウスの操作等で指定した試算用の料金制を適用した賃走料金が、管理用コンピュータ７において試算されてディスプレイに表示される。【選択図】図１
2020086828.tif 000002
【特許請求の範囲】
【請求項１】
車両の営業走行中に、該車両の走行距離に応じた走行パルスと前記車両のタリフ状態とに基づいて計算する前記車両の賃走料金の料金制における後続料金の加算の要否を判定するための演算パルスを生成するパルス生成部と、
前記パルス生成部が生成する前記演算パルスを前記営業走行毎にカウントするカウント部と、
前記営業走行毎の前記カウント部による前記演算パルスのカウント値を、前記賃走料金の試算用に出力する出力部と、
を備える賃走料金計算装置。
【請求項２】
前記出力部は、前記営業走行毎の前記カウント部による前記演算パルスのカウント値を、該演算パルスの生成時間帯別に分類して出力する請求項１記載の賃走料金計算装置。
【請求項３】
前記演算パルスの生成時間帯は、前記賃走料金に割増を適用する時間帯の開始時前後及び終了時前後の各期間において、他の期間よりも短い時間間隔に設定されている請求項２記載の賃走料金計算装置。
【請求項４】
前記車両はタクシー車両であり、前記出力部は、前記タクシー車両の入庫処理の際に、前記営業走行毎の前記カウント部による前記演算パルスのカウント値を出力する請求項１、２又は３記載の賃走料金計算装置。
【請求項５】
前記出力部は、前記営業走行毎の前記カウント部による前記演算パルスのカウント値を携帯記録媒体に出力して記憶させる請求項１、２、３又は４記載の賃走料金計算装置。
【請求項６】
車両の営業走行中に該車両の賃走料金の料金制における後続料金の加算の要否を判定するために生成される演算パルスの、前記車両の営業走行毎の生成数のカウント値が入力される入力部と、
前記入力部に入力された前記営業走行毎の前記演算パルスのカウント値と、前記賃走料金の試算に適用する試算用の料金制の情報とに基づいて、該試算用の料金制を適用した前記賃走料金を試算する試算部と、
を備える賃走料金試算装置。
【請求項７】
前記試算用の料金制の情報を複数パターン保持する料金制保持部と、該料金制保持部の複数パターンの前記試算用の料金制の情報から前記賃走料金の試算に適用する前記試算用の料金制の情報を選択する料金制選択部とをさらに備え、前記試算部は、前記料金制選択部が選択したパターンの前記試算用の料金制の情報を用いて前記車両の賃走料金を試算する請求項６記載の賃走料金試算装置。
【請求項８】
前記入力部には、前記営業走行毎の前記演算パルスのカウント値が、前記演算パルスの生成時間帯別に分類して入力され、前記試算部は、時間帯によって金額が異なる前記試算用の料金制と、前記演算パルスの生成時間帯別に分類して前記入力部に入力された前記営業走行毎の前記演算パルスのカウント値とを用いて、前記車両の賃走料金を試算する請求項６又は７記載の賃走料金試算装置。
【請求項９】
前記演算パルスの生成時間帯は、前記賃走料金に割増を適用する時間帯の開始時前後及び終了時前後の各期間において、他の期間よりも短い時間間隔に設定されている請求項８記載の賃走料金試算装置。
【請求項１０】
前記営業走行毎の前記演算パルスのカウント値を携帯記録媒体から読み出す読出部をさらに備え、前記入力部には、前記読出部が前記携帯記録媒体から読み出した前記営業走行毎の前記演算パルスのカウント値が入力される請求項６、７、８又は９記載の賃走料金試算装置。
【発明の詳細な説明】
【技術分野】
【０００１】
本発明は、車両の賃走料金を計算する技術に関する。
【背景技術】
【０００２】
例えば、タクシーの乗車料金、運転代行業者による運転代行料金等の、車両の賃走料金は、車両に搭載した専用のメータを用いて計算される。
【０００３】
例えば、タクシーの乗車料金は、車両の走行距離に応じた走行パルスに基づいて、車載のタクシーメータが計算する。走行パルスに基づいた乗車料金の計算には、所轄官庁による認可を受けてタクシーメータ内に格納した料金制情報が用いられる。
【０００４】
料金制情報は、乗車料金の基本料金、走行距離に応じて基本料金に加算されるじ後料金等の金額を含んでいる。タクシーの乗車料金の料金制に時間距離併用制が採用されている場合は、走行距離に応じて基本料金に追加するじ後料金の他に、低速走行の連続時間に応じて基本料金に追加するじ後料金が、料金制情報に追加される。
【０００５】
そして、乗車料金が改定される際には、タクシーメータの料金制情報が改訂後のものに更新される（例えば、特許文献１）。
【先行技術文献】
【特許文献】
【０００６】
【特許文献１】特開２００３−６７７９２号公報
【発明の概要】
【発明が解決しようとする課題】
【０００７】
ところで、タクシー業者が乗車料金の改定を検討する際には、改定後の収益の変動予測を行うことが考えられる。そのためには、改訂後の料金制情報を用いて乗車料金を試算する必要がある。
【０００８】
改訂後の乗車料金を試算するには、改定後の料金制情報が必要になることは言うまでもない。また、特に時間距離併用制が採用されている場合は、低速の連続走行により基本料金に追加されるじ後料金にも改定後の料金制情報を適用して、改定後の乗車料金を試算しなければならない。
【０００９】
以上の事情を考慮すると、改定後の乗車料金を試算する際には、改定後の料金制情報を格納した改定料金対応のタクシーメータをタクシー車両に搭載し、現行のタクシーメータと並行して改定後の乗車料金を計算させる必要がある。
【００１０】
そうすると、タクシー車両の乗務員は、乗客の乗車及び降車等に応じて、現行のタクシーメータの他に改定料金対応のタクシーメータのタリフ操作を同時に行うことになる。試算する改定後の乗車料金が複数パターンある場合は、乗務員のタリフ操作の手間が、各パターンに対応した改定料金対応のタクシーメータの数だけ増えることになる。
【００１１】
このような改定料金対応のタクシーメータのタリフ操作は、乗務員の負担の増加を招いてしまう。
【００１２】
なお、乗車料金改定後の収益変動予測の正確性を期するためには、多くのタクシー車両において改定後の乗車料金を試算して、改定後の乗車料金のサンプル数を増やすことが望ましい。
【００１３】
しかし、改定料金対応のタクシーメータを搭載するタクシー車両が多くなればなるほど、改定料金対応のタクシーメータの必要数が増えて、タクシー業者の負担が大きくなる。
【００１４】
この種の問題は、タクシーの乗車料金だけでなく、運転代行業者による運転代行料金等を含む車両の賃走料金の改定を検討する場合に、広く発生する。
【００１５】
本発明は前記事情に鑑みなされたもので、本発明の目的は、改訂後の賃走料金の試算にかかる業務負担及び費用負担を抑制することができる賃走料金計算装置及び賃走料金試算装置を提供することにある。
【課題を解決するための手段】
【００１６】
上記目的を達成するため本発明の第１の態様による賃走料金計算装置は、
車両の営業走行中に、該車両の走行距離に応じた走行パルスと前記車両のタリフ状態とに基づいて計算する前記車両の賃走料金の料金制における後続料金の加算の要否を判定するための演算パルスを生成するパルス生成部と、
前記パルス生成部が生成する前記演算パルスを前記営業走行毎にカウントするカウント部と、
前記営業走行毎の前記カウント部による前記演算パルスのカウント値を、前記賃走料金の試算用に出力する出力部と、
を備える。
【００１７】
車両の賃走料金は基本料金に後続料金を加えて計算される。後続料金は、車両の営業走行中に加算条件が成立する毎に基本料金に加算される従量料金である。
【００１８】
ここで、後続料金の加算条件は、走行距離が一定距離に達すると成立する。また、時間距離併用制が採用された料金制では、低速走行の連続時間が一定時間に達した場合も、後続料金の加算条件が成立する。したがって、賃走料金を計算する際には、後続料金の加算分を特定することが不可欠となる。
【００１９】
そして、本発明の第１の態様による賃走料金計算装置によれば、車両の営業走行において後続料金の加算の要否を判定するために、パルス生成部により演算パルスが生成される。
【００２０】
パルス生成部により生成された演算パルスの数は、営業走行毎にカウント部によりカウントされる。カウント部により営業走行毎にカウントされた演算パルスのカウント値は、出力部によって賃走料金の試算用に出力される。
【００２１】
したがって、出力された営業走行毎の演算パルスのカウント値から、賃走料金の試算に適用する料金制において規定された後続料金の加算分が営業走行毎に特定される。この後続料金の加算分に、試算用の料金制において規定された基本料金等を加えることで、現行以外の料金制を適用した場合の賃走料金の試算が可能となる。
【００２２】
このため、賃走料金の試算に当たって、現行の賃走料金メータと共に試算用の料金制を適用して賃走料金を計算する賃走料金メータを車両に搭載して、各メータを同時に操作する必要をなくし、料金制改訂後の賃走料金の試算にかかる業務負担及び費用負担を抑制することができる。
【００２３】
なお、賃走料金計算装置としては、例えば、計算した賃走料金を表示する表示部を有する既存の態様の賃走料金メータの他、計算した賃走料金を外部のデバイスに出力してそのデバイスの表示部に表示させる装置が考えられる。
【００２４】
外部のデバイスとしては、車両の乗客から視認可能な箇所に設置されたタブレット端末、乗客が携帯する携帯端末（スマートフォン、タブレット端末等）を利用することができる。これらの外部デバイスには、専用のアプリケーションソフトウェアがインストールされ、賃走料金計算装置が計算した賃走料金の信号を無線で受信し、表示部に表示させることができる。
【００２５】
そして、計算した賃走料金を外部のデバイスに出力する装置には、賃走料金を表示する表示部が設けられなくなる可能性もある。そのような態様の装置でも、本発明の第１の態様による賃走料金計算装置を構成することは可能である。
【００２６】
また、本発明の第２の態様による賃走料金計算装置は、本発明の第１の態様による賃走料金計算装置において、前記出力部は、前記営業走行毎の前記カウント部による前記演算パルスのカウント値を、該演算パルスの生成時間帯別に分類して出力する。
【００２７】
本発明の第２の態様による賃走料金計算装置によれば、本発明の第１の態様による賃走料金計算装置において、演算パルスのカウント値が演算パルスの生成時間帯別に分類される。
【００２８】
このため、時間帯によって金額が異なる料金制を賃走料金の試算に用いる場合に、時間帯別の演算パルスのカウント値から各時間帯の後続料金の加算分を特定し、時間帯によって金額が異なる料金制を適用した場合の賃走料金を精度良く試算することができる。
【００２９】
さらに、本発明の第３の態様による賃走料金計算装置は、本発明の第２の態様による賃走料金計算装置において、前記演算パルスの生成時間帯は、前記賃走料金に割増を適用する時間帯の開始時前後及び終了時前後の各期間において、他の期間よりも短い時間間隔に設定されている。
【００３０】
賃走料金に割増を適用する時間帯が規定された料金制では、割増適用時間帯の開始時前後及び終了時前後に演算パルスが生成された場合、生成された演算パルスを割増料金の適用時間中と適用時間外のどちらの時間帯に分類するかで賃走料金の試算値が異なる。
【００３１】
そこで、本発明の第３の態様による賃走料金計算装置によれば、本発明の第２の態様による賃走料金計算装置において、営業走行毎の演算パルスのカウント値を分類する演算パルスの生成時間帯を、割増適用時間帯の開始時前後及び終了時前後の各期間では、他の期間よりも短い時間間隔とする。
【００３２】
したがって、割増適用時間帯の開始時前後及び終了時前後に生成された演算パルスが、割増の適用中に生成されたのであれば割増適用時間帯に、割増の適用中に生成されたのでなければ割増適用以外の時間帯に、それぞれ精度良く分類される。
【００３３】
このため、賃走料金に割増を適用する時間帯が料金制に規定されている場合であっても、その料金制を適用して正確な賃走料金を試算することができる。
【００３４】
また、本発明の第４の態様による賃走料金計算装置は、本発明の第１、第２又は第３の態様による賃走料金計算装置において、前記車両はタクシー車両であり、前記出力部は、前記タクシー車両の入庫処理の際に、前記営業走行毎の前記カウント部による前記演算パルスのカウント値を出力する。
【００３５】
本発明の第４の態様による賃走料金計算装置によれば、本発明の第１、第２又は第３の態様による賃走料金計算装置において、タクシー車両が車庫に戻った入庫時に、異なる料金制を適用して賃走料金を試算する車庫側の相手に、営業走行毎の演算パルスのカウント値が出力される。
【００３６】
このため、車庫から離れた遠隔地からも、車庫の出力相手に届く手段を用いて演算パルスのカウント値を随時出力する必要がない。よって、車庫の出力相手への受け渡しが容易なタクシー車両の入庫時に、営業走行毎の演算パルスのカウント値をまとめて出力するようにして、演算パルスのカウント値の受け渡しの確実性を高めることができる。
【００３７】
さらに、本発明の第５の態様による賃走料金計算装置は、本発明の第１、第２、第３又は第４の態様による賃走料金計算装置において、前記出力部は、前記営業走行毎の前記カウント部による前記演算パルスのカウント値を携帯記録媒体に出力して記憶させる。
【００３８】
本発明の第５の態様による賃走料金計算装置によれば、本発明の第１、第２、第３又は第４の態様による賃走料金計算装置において、営業走行毎の演算パルスのカウント値が携帯記録媒体に出力される。このため、営業走行毎の演算パルスのカウント値を賃走料金の試算を行う相手に、例えば賃走料金メータで積算した営業データと共にオフラインで引き渡すことができる。
【００３９】
また、上記目的を達成するため本発明の第６の態様による賃走料金試算装置は、
車両の営業走行中に該車両の賃走料金の料金制における後続料金の加算の要否を判定するために生成される演算パルスの、前記車両の営業走行毎の生成数のカウント値が入力される入力部と、
前記入力部に入力された前記営業走行毎の前記演算パルスのカウント値と、前記賃走料金の試算に適用する試算用の料金制の情報とに基づいて、該試算用の料金制を適用した前記賃走料金を試算する試算部と、
を備える。
【００４０】
上述したように、従量料金である後続料金を基本料金に加えて車両の賃走料金を計算する際には、後続料金の加算分を特定することが不可欠となる。
【００４１】
そして、本発明の第６の態様による賃走料金試算装置によれば、車両の営業走行中に賃走料金の料金制における後続料金の加算の要否を判定するために生成される演算パルスの、営業走行毎のカウント値が、入力部に入力される。
【００４２】
営業走行毎の演算パルスのカウント値が入力部に入力されると、賃走料金の試算に適用する試算用の料金制の情報を用いて、試算用の料金制を適用した賃走料金が試算部により試算される。
【００４３】
即ち、入力部に入力された営業走行毎の演算パルスのカウント値から、賃走料金の試算に適用する試算用の料金制において規定された後続料金の加算分が営業走行毎に特定される。この後続料金の加算分に、試算用の料金制において規定された基本料金等を加えることで、現行以外の料金制を適用した場合の賃走料金の試算が可能となる。
【００４４】
このため、賃走料金の試算に当たって、現行の賃走料金メータと共に試算用の料金制を適用して賃走料金を計算する賃走料金メータを車両に搭載して、各メータを同時に操作する必要をなくし、料金制改訂後の賃走料金の試算にかかる業務負担及び費用負担を抑制することができる。
【００４５】
さらに、本発明の第７の態様による賃走料金試算装置は、本発明の第６の態様による賃走料金試算装置において、前記試算用の料金制の情報を複数パターン保持する料金制保持部と、該料金制保持部の複数パターンの前記試算用の料金制の情報から前記賃走料金の試算に適用する前記試算用の料金制の情報を選択する料金制選択部とをさらに備え、前記試算部は、前記料金制選択部が選択したパターンの前記試算用の料金制の情報を用いて前記車両の賃走料金を試算する。
【００４６】
本発明の第７の態様による賃走料金試算装置によれば、本発明の第６の態様による賃走料金試算装置において、賃走料金の試算に用いる料金制を、料金制保持部が保持する複数パターンの中から選択して、複数パターンの賃走料金を試算することができる。
【００４７】
また、本発明の第８の態様による賃走料金試算装置は、本発明の第６又は第７の態様による賃走料金試算装置において、前記入力部には、前記営業走行毎の前記演算パルスのカウント値が、前記演算パルスの生成時間帯別に分類して入力され、前記試算部は、時間帯によって金額が異なる前記試算用の料金制と、前記演算パルスの生成時間帯別に分類して前記入力部に入力された前記営業走行毎の前記演算パルスのカウント値とを用いて、前記車両の賃走料金を試算する。
【００４８】
本発明の第８の態様による賃走料金試算装置によれば、本発明の第６又は第７の態様による賃走料金試算装置において、入力部に入力される演算パルスのカウント値は、演算パルスの生成時間帯別に分類されている。
【００４９】
このため、時間帯によって金額が異なる料金制を賃走料金の試算に用いる場合に、時間帯別の演算パルスのカウント値から各時間帯の後続料金の加算分を特定し、時間帯によって金額が異なる料金制を適用した場合の賃走料金を精度良く試算することができる。
【００５０】
さらに、本発明の第９の態様による賃走料金試算装置は、本発明の第８の態様による賃走料金試算装置において、前記演算パルスの生成時間帯は、前記賃走料金に割増を適用する時間帯の開始時前後及び終了時前後の各期間において、他の期間よりも短い時間間隔に設定されている。
【００５１】
賃走料金に割増を適用する時間帯が規定された料金制では、割増適用時間帯の開始時前後及び終了時前後に演算パルスが生成された場合、生成された演算パルスを割増料金の適用時間中と適用時間外のどちらの時間帯に分類するかで賃走料金の試算値が異なる。
【００５２】
そこで、本発明の第９の態様による賃走料金試算装置によれば、本発明の第８の態様による賃走料金試算装置において、入力部に入力される営業走行毎の演算パルスのカウント値を分類する演算パルスの生成時間帯が、割増適用時間帯の開始時前後及び終了時前後の各期間では、他の期間よりも短い時間間隔とされている。
【００５３】
したがって、割増適用時間帯の開始時前後及び終了時前後に生成された演算パルスが、割増の適用中に生成されたのであれば割増適用時間帯に、割増の適用中に生成されたのでなければ割増適用以外の時間帯に、それぞれ精度良く分類されている。
【００５４】
このため、賃走料金に割増を適用する時間帯が料金制に規定されている場合であっても、その料金制を適用して正確な賃走料金を試算することができる。
【００５５】
また、本発明の第１０の態様による賃走料金試算装置は、本発明の第６、第７、第８又は第９の態様による賃走料金試算装置において、前記営業走行毎の前記演算パルスのカウント値を携帯記録媒体から読み出す読出部をさらに備え、前記入力部には、前記読出部が前記携帯記録媒体から読み出した前記営業走行毎の前記演算パルスのカウント値が入力される。
【００５６】
本発明の第１０の態様による賃走料金試算装置によれば、本発明の第６、第７、第８又は第９の態様による賃走料金試算装置において、営業走行毎の演算パルスのカウント値が携帯記録媒体から読み出されて入力部に入力される。このため、営業走行毎の演算パルスのカウント値を演算パルスの発生元である賃走料金メータ側から、例えば賃走料金メータで積算した営業データと共にオフラインで受け取ることができる。
【発明の効果】
【００５７】
本発明によれば、改訂後の賃走料金の試算にかかる業務負担及び費用負担を抑制することができる。
【図面の簡単な説明】
【００５８】
【図１】本発明の一実施形態に係る賃走料金試算システムの概略構成を示す説明図である。
【図２】図１のタクシーメータのＣＰＵがＲＯＭに格納されたプログラムにしたがって行う演算パルスのカウント処理の手順を示すフローチャートである。
【図３】図１のタクシーメータのＣＰＵがＲＯＭに格納されたプログラムにしたがって行う演算パルスのカウント処理の手順を示すフローチャートである。
【図４】図１のタクシーメータのＣＰＵがＲＯＭに格納されたプログラムにしたがってタクシー車両の運行終了時に行う演算パルスのカウント値のメモリカードへの書き込み処理の手順を示すフローチャートである。
【図５】図１の管理用コンピュータのＣＰＵが外部記憶装置にインストールされたプログラムにしたがって行う賃走料金の試算処理の手順を示すフローチャートである。
【図６】図１のタクシーメータのＣＰＵがＲＯＭに格納されたプログラムにしたがってタクシー車両の運行終了時に行う演算パルスのカウント値の管理用コンピュータ側への送信処理の手順を示すフローチャートである。
【図７】図１の管理用コンピュータのＣＰＵが外部記憶装置にインストールされたプログラムにしたがって行う賃走料金の試算処理の手順を示すフローチャートである。
【発明を実施するための形態】
【００５９】
以下、本発明の一実施形態について、図面を参照して説明する。各図面を通じて同一もしくは同等の部位や構成要素には、同一もしくは同等の符号を付している。
【００６０】
以下に示す実施形態は、この発明の技術的思想を具体化するための装置等を例示するものであって、この発明の技術的思想は、各構成部品の材質、形状、構造、配置等を下記のものに特定するものでない。この発明の技術的思想は、特許請求の範囲において、種々の変更を加えることができる。
【００６１】
図１は本発明の一実施形態に係る賃走料金試算システムの概略構成を示す説明図である。図１に示す本実施形態の賃走料金試算システム１は、不図示のタクシー車両（請求項中の車両に相当）に搭載されるタクシーメータ３により計算される賃走料金を、タクシーメータ３とは異なる料金制情報を適用して試算するシステムである。
【００６２】
そして、賃走料金試算システム１は、メモリカード５（請求項中の携帯記録媒体に相当）を介してタクシーメータ３（請求項中の賃走料金計算装置に相当）とオフライン接続される管理用コンピュータ７（請求項中の賃走料金試算装置に相当）とを有している。管理用コンピュータ７は、タクシー車両を管理するための管理部署（図示せず）に配置される。管理部署には、例えば、タクシー業者の営業所（車庫）等が該当する。
【００６３】
タクシーメータ３は、全体制御用のＣＰＵ９を有している。ＣＰＵ９には、オンボードメモリ（ＲＡＭ、ＲＯＭ）１１、賃走料金の料金制情報を記憶したＲＯＭチップ１３、タッチパネル付きの表示器（ＬＣＤ）１５、カードリーダライタ１７が接続されている。
【００６４】
オンボードメモリ１１（請求項中の入力部に相当）は、ＣＰＵ９が行う処理のプログラムを格納するエリア及びワークエリアとして利用される。ＲＯＭチップ１３には、所轄官庁による認可（型式認定）を受けた認証済みの賃走料金の料金制情報が記憶されている。ＲＯＭチップ１３は、料金制情報の改ざん防止のため、所轄官庁によって封印されている。
【００６５】
表示器１５は、タクシーメータ３の前面で賃走料金、タクシー車両のタリフ状態等を表示するものである。カードリーダライタ１７には、タクシーメータ３に収集されたデータやタクシーメータ３で生成されたデータを出力するメモリカード５が、必要に応じて装着される。
【００６６】
タクシーメータ３は、上述したオンボードメモリ１１、ＲＯＭチップ１３、表示器１５及びカードリーダライタ１７の他、ＣＰＵ９に接続された入出力インタフェース部１９，２１，２３を有している。各入出力インタフェース部１９，２１，２３には、ＧＰＳ受信器２５、ＥＴＣ車載器２７及び外部機器（入力装置）２９がそれぞれ接続されている。
【００６７】
ＣＰＵ９は、タクシーメータ３の時計を自動補正するための正確な時刻の情報をＧＰＳ受信器２５から取得する。また、ＣＰＵ９は、タクシーメータ３の高速タリフを自動でオンオフさせるための、高速（有料）道路の入出の情報を、ＥＴＣ車載器２７から取得する。
【００６８】
外部機器（入力装置）２９は、例えば、テンキー、磁気カードリーダ、ＩＣカードリーダ等を有する外付け端末である。ＣＰＵ９は、クレジットカード、電子マネーカード等のＩＣカードからの決済情報等を、外部機器２９から取得する。
【００６９】
ＣＰＵ９は、タクシー車両の走行距離に応じた走行パルス、タクシーメータ３のタリフ状態、ＥＴＣ車載器２７から取得される高速（有料）道路の入出状態、タクシーメータ３の時計の時刻、ＲＯＭチップ１３の料金制情報等から、賃走料金を計算する。
【００７０】
なお、ＲＯＭチップ１３の料金制情報では、賃走料金を構成する基本料金の金額と、賃走料金が基本料金となる実車タリフの開始からの走行距離（基本距離）とが規定されている。
【００７１】
また、料金制情報では、基本距離の走行後にタクシー車両の走行距離に応じて基本料金に加算されるじ後料金（請求項中の後続料金に相当）の金額と、基本料金にじ後料金を加算する周期となる基本距離の走行後のタクシー車両の走行距離（後続距離）とが規定されている。
【００７２】
そして、ＣＰＵ９は、実車タリフにおいて走行パルスが入力される度に、実車タリフにおけるタクシー車両の走行距離を計算するために、演算パルスを生成する。
【００７３】
また、ＲＯＭチップ１３の料金制情報の料金制が時間距離併用制を採用している場合は、ＣＰＵ９は、タクシー車両が低速走行（例えば、時速１０Ｋｍ以下）を行っている間にも、走行パルスを模擬した擬似パルスとして演算パルスを生成する。
【００７４】
時間距離併用制の料金制では、低速走行の積算時間が一定時間に達する度に、じ後料金が１回加算される。このため、ＣＰＵ９は、ＣＰＵ９が走行パルスから検出するタクシー車両の走行速度が低速走行に該当する速度である間、所定周期で演算パルス（擬似パルス）を生成する。なお、擬似パルスとしての演算パルスを生成する所定周期は、低速走行の上限速度と後続距離とに基づいて予め決定される。
【００７５】
そして、ＣＰＵ９は、実車タリフの開始に伴って発生した基本料金に、実車タリフの開始後から終了（空車タリフへの移行）までの間に生成した演算パルス数から計算した追加回数分のじ後料金を追加して、賃走料金を計算する。
【００７６】
なお、基本料金及びじ後料金以外の料金を除くと、賃走料金は、次の式（１）、即ち、
賃走料金＝基本料金＋じ後料金×｛［〔（実車タリフ中に生成した演算パルス数）×（走行パルスの１周期にタクシー車両が走行する距離）−基本距離〕／後続距離］＋１｝
・・・式（１）
によって計算することができる。
【００７７】
また、ＲＯＭチップ１３の料金制情報に、深夜及び早朝（例えば午後１０時から午前５時まで）の割増料金（例えば２割増）が規定されている場合は、その時間帯に発生した基本料金及びじ後料金に割増料金の規定を適用して賃走料金を計算する。
【００７８】
そして、ＣＰＵ９は、計算した賃走料金を表示器１５に表示する。表示器１５には、賃走料金の他、タリフ状態等を表示することができる。
【００７９】
また、ＣＰＵ９は、上述した演算パルスの生成数を、時間帯別（例えば１時間毎に区切った時間帯別）にカウントする。
【００８０】
ところで、料金制に深夜及び早朝（例えば午後１０時から午前５時まで）の割増料金（例えば２割増）が規定されている場合、割増料金の適用時間帯の開始時前後及び終了時前後に生成された演算パルスは、時間帯の区切り方次第で、割増料金の適用時間中に発生した演算パルスとしてカウントされる可能性がある。反対に、割増料金の適用時間外に発生した演算パルスとしてカウントされる可能性もある。
【００８１】
ここで、時間帯別に分類した演算パルスと料金制とを用いて計算される賃走料金は、割増料金の適用時間帯の開始時前後及び終了時前後に生成された演算パルスが割増料金の適用時間中と適用時間外のどちらの時間帯の演算パルスとしてカウントされるかによって異なる値となる。
【００８２】
このため、割増料金の適用時間帯の開始時前後及び終了時前後に生成された演算パルスは、生成された時間と割増料金の適用時間帯との関係で、割増料金の適用時間中又は適用時間外のどちらかに正確に分類されるようにすることが望ましい。
【００８３】
そこで、営業走行毎の演算パルスのカウント値を分類する時間帯を、割増料金の適用時間帯の開始時前後及び終了時前後の各期間では、他の期間よりも短い時間間隔としてもよい。例えば、通常は１分区切りで演算パルスを分類するところを、割増料金の適用時間帯の開始時前後及び終了時前後の各一定期間（例えば開始時及び終了時の前後１分間）では、１秒区切りで演算パルスを分類するようにしてもよい。
【００８４】
そして、時間帯別に分類して営業走行毎にカウントした演算パルス数は、タクシー車両の運行終了時にカードリーダライタ１７によりメモリカード５に記憶させる。
【００８５】
管理部署の管理用コンピュータ７には、メモリカード５用のカードリーダライタ３１が接続されている。
【００８６】
また、管理用コンピュータ７は、ＣＰＵ（図示せず）を有している。管理用コンピュータ７のＣＰＵは、外部記憶装置（図示せず）にインストールされた賃走料金試算プログラムを実行することで、賃走料金の試算処理を行う。
【００８７】
そのために、外部記憶装置には、賃走料金を試算するためのアプリケーションソフトウェアのプログラムがインストールされている。また、外部記憶装置には、賃走料金の試算に用いる試算用の料金制情報が複数パターン記憶されている。
【００８８】
試算用の料金制情報は、タクシーメータ３のＲＯＭチップ１３に記憶された認証済みの料金制情報とは内容が異なっている。
【００８９】
また、管理用コンピュータ７のＣＰＵは、賃走料金を試算する際に、カードリーダライタ３１によりメモリカード５から、時間帯別の演算パルス数を読み出す。
【００９０】
次に、タクシーメータ３のＣＰＵ９がオンボードメモリ１１のＲＯＭに格納されたプログラムにしたがって行う演算パルスのカウント処理について、図２のフローチャートを参照して説明する。
【００９１】
タクシーメータ３のＣＰＵ９は、まず、タクシーメータ３のタリフ状態が営業中のタリフ（実車等）であるか否かを確認し（ステップＳ１１）、営業中のタリフでない場合は（ステップＳ１１でＮＯ）、一連の処理を終了する。
【００９２】
一方、営業中のタリフである場合は（ステップＳ１１でＹＥＳ）、ＣＰＵ９は、時間距離併用制による低速走行中に擬似パルスとしての演算パルスを生成する周期の時間カウントを、オンボードメモリ１１（のＲＡＭ）において開始する（ステップＳ１３）。そして、ＣＰＵ９は、時間距離併用フラグＦを「１」に設定した後（ステップＳ１４）、走行パルスが入力されたか否かを確認する（ステップＳ１５）。
【００９３】
走行パルスが入力された場合は（ステップＳ１５でＹＥＳ）、後述するステップＳ１９に処理を移行する。一方、入力されていない場合は（ステップＳ１５でＮＯ）、ＣＰＵ９は、時間距離併用フラグＦが「１」であるか否かを確認する（ステップＳ１６）。フラグＦが「１」でない場合は（ステップＳ１６でＮＯ）、ステップＳ１５にリターンし、フラグＦが「１」である場合は（ステップＳ１６でＹＥＳ）、時間カウントが擬似パルスとしての演算パルスを生成する周期の時間に達したか否かを確認する（ステップＳ１７）。
【００９４】
時間カウントが擬似パルスとしての演算パルスを生成する周期の時間に達していなければ（ステップＳ１７でＮＯ）、ステップＳ１５にリターンし、達した場合は（ステップＳ１７でＹＥＳ）、ステップＳ１９に処理を移行する。
【００９５】
ステップＳ１９では、ＣＰＵ９は、演算パルスの生成時点として現在時刻を取得する。続いて、ＣＰＵ９は、オンボードメモリ１１（のＲＡＭ）に設けた時間帯別の演算パルスのカウントエリアの中から、演算パルスのカウント値をインクリメントする時間帯（演算パルスの格納先のアドレス）を指定する（ステップＳ２１−１〜Ｓ２１−２４）。
【００９６】
具体的には、ＣＰＵ９は、２４時間を複数の時間帯に区切った演算パルスのカウントエリアの中から、現在時刻が属する時間帯を、演算パルスのカウント値をインクリメントする時間帯（演算パルスの格納先のアドレス）として指定する。
【００９７】
そして、ＣＰＵ９は、指定した時間帯（アドレス）の演算パルスのカウント値をインクリメント（＋１）する（ステップＳ２３）。
【００９８】
次に、ＣＰＵ９は、タクシーメータ３のタリフ状態が営業中のタリフ（実車等）であるか否かを確認する（ステップＳ２５）。営業中のタリフである場合は（ステップＳ２５でＹＥＳ）、後述するステップＳ２７に処理を移行し、営業中のタリフでない場合は（ステップＳ２５でＮＯ）、一連の処理を終了する。
【００９９】
ステップＳ２７では、ＣＰＵ９は、図３のフローチャートに示すように、タクシーメータ３のタリフ状態が高速タリフ又は支払タリフであるか否かを確認する。タリフ状態が高速タリフ又は支払タリフでない場合は（ステップＳ２７でＮＯ）、後述するステップＳ３３に処理を移行する。
【０１００】
一方、タリフ状態が高速タリフ又は支払タリフである場合は（ステップＳ２７でＹＥＳ）、ＣＰＵ９は、時間距離併用フラグＦが「１」であるか否かを確認する（ステップＳ２９）。フラグＦが「１」でない場合は（ステップＳ２９でＮＯ）、図２のステップＳ１５にリターンする。また、フラグＦが「１」である場合は（ステップＳ２９でＹＥＳ）、ＣＰＵ９は、時間距離併用フラグＦを「０」に設定した後（ステップＳ３１）、図２のステップＳ１５にリターンする。なお、時間距離併用フラグＦを「０」に設定する際に、オンボードメモリ１１（のＲＡＭ）における時間カウントを停止する。
【０１０１】
さらに、ステップＳ２７において、タクシーメータ３のタリフ状態が高速タリフ又は支払タリフでない場合（ＮＯ）に進むステップＳ３３では、ＣＰＵ９は、時間距離併用フラグＦが「１」であるか否かを確認する。フラグＦが「１」である場合は（ステップＳ３３でＹＥＳ）、図２のステップＳ１５にリターンする。また、フラグＦが「１」でない場合は（ステップＳ３３でＮＯ）、ＣＰＵ９は、時間距離併用フラグＦを「１」に設定した後（ステップＳ３５）、図２のステップＳ１５にリターンする。なお、時間距離併用フラグＦを「１」に設定する際に、オンボードメモリ１１（のＲＡＭ）における時間カウントを再開する。
【０１０２】
以上の説明からも明らかなように、本実施形態の賃走料金試算システム１では、図２のフローチャートにおけるステップＳ１５乃至ステップＳ２３が、請求項中のカウント部に相当する処理となっている。
【０１０３】
続いて、タクシーメータ３のＣＰＵ９がオンボードメモリ１１のＲＯＭに格納されたプログラムにしたがってタクシー車両の運行終了時に行う、演算パルスのカウント値のメモリカードへの書き込み処理について、図４のフローチャートを参照して説明する。
【０１０４】
タクシーメータ３のＣＰＵ９は、例えば、タクシーメータ３の入庫操作、あるいはタクシーメータ３に接続された外部機器（入力装置）２９の入庫操作により、入庫の指示が入力されたか否かを確認する（ステップＳ３１）。
【０１０５】
入庫の指示が入力されていない場合は（ステップＳ３１でＮＯ）、一連の処理を終了し、入庫の指示が入力された場合は（ステップＳ３１でＹＥＳ）、時間帯別に分類した演算パルスのカウント値を、オンボードメモリ１１（のＲＡＭ）から出力させる（ステップＳ３３）。
【０１０６】
そして、出力させた時間帯別の演算パルスのカウント値を、カードリーダライタ１７によりメモリカード５に書き込ませた後（ステップＳ３５）、一連の処理を終了する。
【０１０７】
以上の説明からも明らかなように、本実施形態の賃走料金試算システム１では、図４のフローチャートにおけるステップＳ３３及びステップＳ３５が、請求項中の出力部に相当する処理となっている。
【０１０８】
次に、管理用コンピュータ７のＣＰＵが不図示の外部記憶装置にインストールされたプログラムにしたがって行う賃走料金の試算処理について、図５のフローチャートを参照して説明する。
【０１０９】
まず、管理用コンピュータ７のＣＰＵは、カードリーダライタ３１によりメモリカード５から時間帯別の演算パルスのカウント値を読み込んで、オンボードメモリ１１（のＲＡＭ）に一時記憶させる（ステップＳ４１）。そして、管理用コンピュータ７のＣＰＵは、賃走料金の試算に適用する料金制を、不図示の外部記憶装置に記憶された複数の料金制の中から、キーボードやマウスの操作によって選択する（ステップＳ４３）。
【０１１０】
さらに、管理用コンピュータ７のＣＰＵは、メモリカード５から読み込んだ時間帯別の演算パルスのカウント値と、キーボードやマウスの操作によって選択した試算用の料金制とを用いて、賃走料金を各営業走行毎に試算する（ステップＳ４５）。賃走料金の試算には、上述した式（１）を試算用の料金制に対応する内容としたものを用いることができる。
【０１１１】
さらに、管理用コンピュータ７のＣＰＵは、試算した賃走料金をディスプレイに表示させて（ステップＳ４７）、一連の処理を終了する。
【０１１２】
以上の説明からも明らかなように、本実施形態の賃走料金試算システム１では、図５のフローチャートにおけるステップＳ４１が、請求項中の読出部に相当する処理となっている。そして、図５中のステップＳ４１の処理を実行する管理用コンピュータ７とカードリーダライタ３１とで、請求項中の読出部が構成されている。
【０１１３】
また、本実施形態では、図５中のステップＳ４３が請求項中の料金制選択部二層右党する処理となっており、図５中のステップＳ４５が請求項中の料金制選択部に相当する処理となっている。
【０１１４】
以上のように構成された本実施形態の賃走料金試算システム１では、タクシーメータ３で現行の料金制による賃走料金が計算されると、その計算の際に生成された演算パルスの生成数が、営業走行毎に、生成された時間帯別に分類してカウントされる。
【０１１５】
そして、営業走行毎の時間帯別に分類された演算パルスのカウント値が、タクシー車両の入庫時にメモリカード５に記憶される。
【０１１６】
また、管理用コンピュータ７において賃走料金の試算用のプログラムを起動し、メモリカード５から営業走行毎の時間帯別に分類された演算パルスのカウント値を読み出すと、キーボードあるいはマウスの操作等で指定した試算用の料金制を適用した賃走料金が、管理用コンピュータ７において試算されてディスプレイに表示される。
【０１１７】
したがって、管理用コンピュータ７において賃走料金を試算するのに当たり、現行の料金制の賃走料金を計算するタクシーメータ３と共に試算用の料金制を適用して賃走料金を計算するタクシーメータをタクシー車両に搭載して、各メータを同時に操作する必要をなくすことができる。
【０１１８】
よって、料金制改訂後の賃走料金の試算にかかるタクシー車両の乗務員の業務負担及びタクシー業者の費用負担を抑制することができる。
【０１１９】
なお、本実施形態では、営業走行中にカウントした演算パルスのカウント値をタクシー車両の入庫時にメモリカード５に記憶させて、管理用コンピュータ７にオフラインで受け渡す場合について説明した。
【０１２０】
しかし、営業走行毎にカウントした時間帯別の演算パルスのカウント値を、無線通信（無線ＬＡＮ、公衆無線電話回線網等）によってタクシーメータ３から管理用コンピュータ７に出力するように構成してもよい。
【０１２１】
その場合、タクシーメータ３のＣＰＵ９は、タクシー車両の入庫時に、例えば図６のフローチャートに示す送信処理のように、入庫の指示が入力された場合に（ステップＳ５１でＹＥＳ）、時間帯別に分類した演算パルスのカウント値を、不図示の通信ユニットから管理用コンピュータ７に向けて送信させる（ステップＳ５３）。
【０１２２】
また、管理用コンピュータ７のＣＰＵは、図５のステップＳ４１で行った、カードリーダライタ３１によりメモリカード５から営業走行毎の時間帯別に分類した演算パルスのカウント値を読み込む処理の代わりに、例えば図７のフローチャートに示す賃走料金の試算処理のステップＳ６１の処理を行う。
【０１２３】
即ち、図７のステップＳ６１において、不図示の通信ユニットを介して、タクシーメータ３が送信した営業走行毎の時間帯別に分類した演算パルスのカウント値を受信する。そして、以後、管理用コンピュータ７のＣＰＵは、図５のステップＳ４３乃至ステップＳ４９で行った処理と同じ処理を、図７のステップＳ６３乃至ステップＳ６９において行う。
【０１２４】
この場合は、図６のフローチャートにおけるステップＳ５３が、請求項中の出力部に相当する処理となる。
【０１２５】
このように構成した場合にも、営業走行毎の時間帯別に分類した演算パルスのカウント値をメモリカード５によりオフラインでタクシーメータ３から管理用コンピュータ７に受け渡す上述の実施形態の賃走料金試算システム１と同様の効果を得ることができる。
【０１２６】
なお、タクシーメータ３が営業走行毎にカウントした時間帯別の演算パルスのカウント値の送信先は、管理用コンピュータ７でなく、有線ＬＡＮ等で管理用コンピュータ７と接続されたデータサーバとしてもよい。その場合、タクシーメータ３の送信内容は、無線通信回線を用いてデータサーバに送信され、保管される。このため、管理用コンピュータ７は、タクシーメータ３が送信した営業走行毎の時間帯別に分類した演算パルスのカウント値を、データサーバの保管データの中から抽出して取得することになる。
【０１２７】
なお、本実施形態では、営業走行毎の時間帯別に分類した演算パルスのカウント値を、タクシー車両の入庫時にタクシーメータ３から管理用コンピュータ７にまとめて受け渡す場合について説明した。
【０１２８】
しかし、タクシー車両の入庫を待たず、受け渡し条件が整う度に、それまでの間にカウントした、区切りの良いところまでの、営業走行毎の時間帯別に分類した演算パルスのカウント値を、タクシーメータ３から管理用コンピュータ７に受け渡す構成としてもよい。
【０１２９】
タクシーメータ３から管理用コンピュータ７への、営業走行毎の時間帯別に分類した演算パルスのカウント値の受け渡しを、上述したデータサーバが仲介する場合も、同様にすることができる。
【０１３０】
その場合は、タクシー車両がタクシー業者の営業所（車庫）から離れた場所にいるのが通常であるため、オフラインによる受け渡しは現実的でない。よって、公衆無線電話回線網等を利用して、タクシーメータ３から管理用コンピュータ７に無線で受け渡すのが現実的である。但し、他にも実現可能な方法がある場合、その方法を用いることは否定しない。
【０１３１】
ところで、近年では、車両の乗客から視認可能な箇所に設置されたタブレット端末、あるいは、乗客が携帯する携帯端末（スマートフォン、タブレット端末）等の外部デバイスの表示部に、タクシーメータ３で計算した賃走料金を表示させることも行われている。これらの外部デバイスでは、例えば、専用のアプリケーションソフトウェアをインストールすることで、タクシーメータ３から無線で受信した信号に基づいて、自身の表示部に賃走料金を表示させることができる。
【０１３２】
外部デバイスの表示部に賃走料金を表示することが普及すると、タクシーメータ３から表示部１５がなくなった新しい態様のタクシーメータが出現し、賃走料金の計算までをタクシーメータが行うようになることも考えられる。そのような態様のタクシーメータであっても、上述した実施形態のタクシーメータ３と同様に、演算パルスの生成、営業走行毎の演算パルス数のカウント、及び、カウントした演算パルス数の管理用コンピュータ７へのオフライン又はオンラインによる受け渡しを行うことができる。
【０１３３】
したがって、自らは賃走料金の表示部を持たないタクシーメータであっても、請求項中の賃走料金計算装置に該当することは、明らかである。
【０１３４】
なお、本実施形態では、タクシー車両に搭載したタクシーメータが計算する賃走料金とは異なる料金制を適用した賃走料金を試算する場合について説明した。
【０１３５】
しかし、本発明は、例えば、運転代行業者が伴走車に搭載した料金メータで算出する賃走料金（運転代行料金）とは異なる料金制を適用した賃走料金（運転代行料金）を試算する場合等にも適用可能である。
【産業上の利用可能性】
【０１３６】
本発明は、現行とは異なる料金制を適用して車両の賃走料金を試算する際に適用して極めて有用である。
【符号の説明】
【０１３７】
１  賃走料金試算システム
３  タクシーメータ（賃走料金計算装置）
５  メモリカード（携帯記録媒体）
７  管理用コンピュータ（読出部、料金制選択部、試算部、賃走料金試算装置）
９  タクシーメータのＣＰＵ（カウント部、出力部）
１１  オンボードメモリ（入力部）
１３  ＲＯＭチップ
１５  タクシーメータ表示器
１７  カードリーダライタ
１９，２１，２３  入出力インタフェース部
２５  ＧＰＳ受信器
２７  ＥＴＣ車載器
２９  外部機器
３１  カードリーダライタ（読出部）
【図１】
2020086828.tif 000003
【図２】
2020086828.tif 000004
【図３】
2020086828.tif 000005
【図４】
2020086828.tif 000006
【図５】
2020086828.tif 000007
【図６】
2020086828.tif 000008
【図７】
2020086828.tif 000009